(57)【要約】【課題】  分析対象物の効率的な濃縮が可能であり且つ、分析作業が簡便となる遠心管を提供すること。【解決手段】  本発明は、遠心分離機のホルダに取付けられる遠心管１であって、サンプルを収容するサンプル収容部４を備えた本体２と、遠心分離された比重の大きな成分を収容するようにサンプル収容部の下端部と流体連通する細長い内部空間１４を有し測定機器の測定部に配置可能な形状を備え透明材料で形成されたセル１２と、セルを本体の底部に取り外し可能に固定するセル保持部１６とを備えている。【選択図】      図１
2005238158.tif 000002
【特許請求の範囲】
【請求項１】
遠心分離機のホルダに取付けられる遠心管であって、
サンプルを収容するサンプル収容部を備えた本体と、
遠心分離された比重の大きな成分を収容するように前記サンプル収容部の下端部と流体連通する細長い内部空間を有し、測定機器の測定部に配置可能な形状を備え、透明材料で形成されたセルと、
前記セルを前記本体の底部に取り外し可能に固定するセル保持部と、を備えている、
ことを特徴とする遠心管。
【請求項２】
遠心分離機のホルダに取付けられる遠心管であって、
サンプルを収容するサンプル収容部を備えた本体と、
遠心分離された比重の大きな成分を収容するように前記サンプル収容部の下端部と流体連通する細長い内部空間を備えたセルとを備え、
前記セルが前記本体から取り外し可能である、
ことを特徴とする遠心管。
【請求項３】
前記サンプル収容部が底部に向かって先細りしている、
請求項１または２に記載の遠心管。
【請求項４】
前記セル保持部が、前記本体に対して着脱可能に構成されている、
請求項１ないし３のいずれか１項に記載の遠心管。
【請求項５】
前記セル保持部が、ねじ込みにより前記本体に固定されている、
請求項１ないし４のいずれか１項に記載の遠心管。
【発明の詳細な説明】
【技術分野】
【０００１】
本発明は遠心管に関し、詳細には、遠心分離するサンプルを収容して遠心分離機のホルダに取付けられる遠心管に関する。
【背景技術】
【０００２】
研究、検査等の目的で、分析対象を含むサンプル液体から比重が大きな分析対象物を遠心分離機で分離する作業がしばしば行われる。このような作業では、分析対象物を含むサンプル液体を収容した試験管状の容器（遠心管）を遠心分離器のホルダ部に装着し、遠心分離器を作動させ、サンプルを比重に応じて複数の部分に遠心分離する。次いで、遠心管を遠心分離から外し、遠心管を傾けて上澄み液を廃棄する等した後、遠心管の底部に沈殿している比重が大きい分析対象物をピペットなどで取出し、分析対象物を分光高度計等の測定機器のセルに移し替えている。
本発明は、このような技術の現状に基づいてなされたものである。
【発明の開示】
【発明が解決しようとする課題】
【０００３】
しかしながら、試験管状の遠心管では、遠心分離機によって比重の大きな成分を効率的に底部に沈殿させることが出来ず、分析対象物を十分に濃縮することができないという問題があった。
また、試験管状の遠心管では、沈殿した分析対象物を分析機器のセルへ移し替える操作が必要であり、この操作が特に大量のサンプルを分析等する際に煩雑であるという問題もあった。
【０００４】
本発明はこのような問題に鑑みてなされたものであり、分析対象物の効率的な濃縮が可能であり且つ、分析作業が簡便となる遠心管を提供することを目的としている。
【課題を解決するための手段】
【０００５】
本発明によれば、遠心分離機のホルダに取付けられる遠心管であって、サンプルを収容するサンプル収容部を備えた本体と、遠心分離された比重の大きな成分を収容するように前記サンプル収容部の下端部と流体連通する細長い内部空間を有し、測定機器の測定部に配置可能な形状を備え、透明材料で形成されたセルと、前記セルを前記本体の底部に取り外し可能に固定するセル保持部と、を備えていることを特徴とする遠心管が提供される。
【０００６】
このような構成によれば、遠心分離によって、比重が重い成分がセルの細長い空間内に沈殿させられるので、高濃度の濃縮が可能となる。セルを本体から外し、対象物の分析等を行う分光光度計、比色計等の測定機器の測定部にセットするという極め簡単な操作だけで、分析等を開始することができる。
【０００７】
本発明の他の態様によれば、遠心分離機のホルダに取付けられる遠心管であって、サンプルを収容するサンプル収容部を備えた本体と、遠心分離された比重の大きな成分を収容するように前記サンプル収容部の下端部と流体連通する細長い内部空間を備えたセルとを備え、前記セルが前記本体から取外し可能であることを特徴とする遠心管が提供される。
【０００８】
本発明の他の好ましい態様によれば、前記サンプル収容部が底部に向かって先細している。このような構成によれば、遠心分離の際、サンプル内の比重の大きな成分が確実にセルの細長い内部空間に収容される。
【０００９】
本発明の他の好ましい態様によれば、前記セル保持部が、前記本体に対して着脱可能に構成されている。
【００１０】
本発明の他の好ましい態様によれば、前記セル保持部が、ねじ込みにより前記本体に固定されている。
【発明の効果】
【００１１】
本発明によれば、分析対象物の効率的な濃縮が可能であり且つ、分析作業が簡便となる遠心管が提供される。
【発明を実施するための最良の形態】
【００１２】
以下、添付の図面を参照して、本発明の好ましい実施形態の遠心管の構成を説明する。図１は、本発明の第１実施形態の遠心管１の組立状態の縦断面図であり、図２は分解状態での縦断面図である。
【００１３】
遠心管１は、遠心分離機による分離操作の際に使用される容器であり、分離されるサンプル液体を収容した状態で遠心分離機に取付けられ、遠心分離機の作動により内部のサンプル液体またはこれに含まれる微粒子等の固体成分が比重に応じて分離される。
【００１４】
図１に示されているように、遠心管１は本体２を備えている。本体２は、プラスチック等の合成樹脂で形成された逆釣り鐘状の形状を有し、両端が開口した中空部材であり、サンプル液体Ｌを収容するサンプル収容部４が内部に形成されている。サンプル収容部４は、下方部分が下方に向かって先細りする円柱状の形状を有している。
【００１５】
本体２の上端には、外方に向かって延びる一対の突起部６、６が対向して設けられている。本体２の下端は、下方に向かって開口する横断面円形の受け部８が設けられ。受け部８の外周面には雌ねじ部１０が形成されている。
【００１６】
また、遠心管１は、セル１２を備えている。セル１２は、サンプル液体Ｌから遠心分離された比重の大きな成分を収容する部材であり、無色透明なプラスチック等で作られている。セル１２は、図３の斜視図に示されているように、上方が開口し下端は閉じられた細長い直方体状の内部空間１４が中央に形成された細長い角柱状形状を有している。セル１２の外形は、分光高度計、比色計等の測定機器の測定部にセットしてそのまま測定機器によってセル内の物質の測定を行うことができる形状とされている。尚、本実施形態では、セル１２は、１辺が５ｍｍの正方形の横断面を有する長さ約４０ｍｍの直方体であって、内部空間１４は約３００μｍの容量を有している。
セル１２は、セル保持部材１６によって、上端が、サンプル収容部４の下端と整列するように、本体２に連結される。
【００１７】
セル保持部材１６は、プラスチック製の第１保持部材１８と第２保持部材２０から構成されている。第１保持部材１８は、両端が小径部２２、２４とされた円柱状の形状を有し、軸線方向に貫通する貫通孔２６が中央に形成されている。上方の小径部２２は、本体２の受け部８に対応する寸法形状とされ、受け部８の雌ねじ部１０にねじ込み可能な雄ねじ部２８を外周に備えている。また、貫通孔２６は、セル１２の横断面と略同一の横断面形状を有し、内壁との間に隙間が形成されない状態でセル１２を収容可能に構成されている。
【００１８】
第２保持部材２０は円柱形状を有し、頂面には第１保持部材１８の下方の小径部２４が嵌合される断面円形の凹部３０が形成されている。また、凹部３０の中央には、セル１２の下端を収容する盲孔３２が設けられている。
また、本体２のサンプル収容部４の上端には、着脱可能な蓋３４が取付けられる。
【００１９】
このような構成では、貫通孔２６と盲孔３２によってセル保持部材１６の中央に形成されたセル収容部に、セル１２を内部空間１４が上方に向くようにして挿入し、セル保持部材１６の上端の雄ねじ部２８を本体２の下端の雌ねじ部１０にねじ込むことにより、遠心管１の組立が完了し、セル１２を本体２に連結することができる。このとき、セル１２の内部空間１４の上端は、本体２のサンプル収容部４の下端に接続され、内部空間１４とサンプル収容部４とは流体連通される。
【００２０】
次に、遠心管１の使用方法を説明する。組み立てられた遠心管１のサンプル収容部４に所定量のサンプル液体Ｌを入れ、サンプル収容部４を蓋３４で閉鎖する（図１）。次いで、遠心管１を遠心分離機の遠心ホルダ３６に取付け（図４）、遠心分離機を所定時間、作動させてサンプル液体Ｌの遠心分離を行う。このとき遠心管１の下端即ち第２保持部材２０は、遠心ホルダ３６に当接しているので、遠心分離操作中、第２保持部材２０が第１保持部材１８から外れることはない。この遠心分離により、サンプル液体Ｌに含まれる比重の大きな成分（検査対象物）が、セル１２の内部空間１４内に沈殿させられる。
【００２１】
遠心分離完了後、遠心管１を遠心ホルダ３６から取り外し、第１保持部材１８を回転させることにより、セル保持部材１６を検査対象物が収容されたセル１２ごと、本体２から取り外す。この操作に先だって、本体２内のサンプル収容部４に残っている上澄み液を廃棄する操作を行っても良い。次いで、第２保持部材２０をセル１２ごと第１保持部材１８から外し（図６）、最後に、セル１２を第２保持部材２０から取り外す。
【００２２】
上述したように、セル１２は、分光高度計等の測定機器の測定部に配置可能な形状とされているので、検査対象物が沈殿したセル１２をそのまま測定機器の所定位置に配置して、検査対象物の分析（または検査、測定）を開始することができる。
【００２３】
次に、図７乃至図９に沿って、本発明の第２実施形態の遠心管３８の構成を説明する。図７は第２実施形態に遠心管３８の正面図であり、図８は側面図、図９は底面図である。この遠心管３８は、本体４０とセル４２がＰＥＴ等の合成樹脂製のフィルムによって一体成形され、セル４２の上部に切り離し箇所４４が形成されている点が、上記第１実施形態の遠心管１と異なっているが、基本的な構成は遠心管１と同一であり、また、第１実施形態の遠心管１と同様に遠心ホルダに取付けられて使用される。
切り離し箇所４４にはセル４２の全周に亘って延びるＶ字状の切り込みがフィルムに形成されており、この切り込みに沿ってセル４２を本体４０から容易に切り離せるように構成されている。
【００２４】
遠心管３８も上記第１実施形態の遠心管１と同様に、本体４０内にサンプル液を収容して遠心分離を行い、比重の大きな成分をセル４２内に沈殿させた後、セル４２を本体４０から切り離し、セル４２を測定機器の測定部にセットすることができる。
【００２５】
また、図１０乃至図１２に示されているように、セル４６を測定機器の測定部の形状に合わせ、薄板状の形状としても良い。
【００２６】
次に、図１３乃至図１５に沿って、本発明の第３実施形態の遠心管４８の構成を説明する。図１３は第３実施形態に遠心管４８の正面図であり、図１４は側面図、図１５は底面図である。この遠心管４８は、セル５０を本体５２の下部に差し込んだ構成としている点が、上記第２実施形態の遠心管３８と異なっているが、基本的な構成は遠心管３８と同一であり、同様に遠心ホルダに取付けられる。このような構成によれば、遠心分離完了後に、セル５０を本体５２から引き抜くという簡単な操作で、セル５０を本体５２から取り外し、測定機器にセットすることができる。
【００２７】
本発明は、上記実施形態に限定されるものではなく、特許請求の範囲に記載された事項の範囲内で種々の変更・変形が可能である。
【図面の簡単な説明】
【００２８】
【図１】本発明の第１実施形態の遠心管の組立状態の縦断面図である。
【図２】図１の遠心管の分解状態での縦断面図である。
【図３】図１の遠心管のセルの斜視図である。
【図４】図１の遠心管の使用状態を説明するための図面である。
【図５】図１の遠心管の使用状態を説明するための図面である。
【図６】図１の遠心管の使用状態を説明するための図面である。
【図７】本発明の第２実施形態の遠心管の正面図である。
【図８】本発明の第２実施形態の遠心管の側面図である。
【図９】本発明の第２実施形態の遠心管の底面図である。
【図１０】本発明の第２実施形態の遠心管の変型例の正面図である。
【図１１】本発明の第２実施形態の遠心管の変型例の側面図である。
【図１２】本発明の第２実施形態の遠心管の変型例の底面図である。
【図１３】本発明の第３実施形態の遠心管の正面図である。
【図１４】本発明の第３実施形態の遠心管の側面図である。
【図１５】本発明の第３実施形態の遠心管の底面図である。
【符号の説明】
【００２９】
１：遠心管
２：本体
４：サンプル収容部
１２：セル
１４：内部空間
１６：セル保持部材
１８：第１保持部材
２０：第２保持部材
【図１】
2005238158.tif 000003
【図２】
2005238158.tif 000004
【図３】
2005238158.tif 000005
【図４】
2005238158.tif 000006
【図５】
2005238158.tif 000007
【図６】
2005238158.tif 000008
【図７】
2005238158.tif 000009
【図８】
2005238158.tif 000010
【図９】
2005238158.tif 000011
【図１０】
2005238158.tif 000012
【図１１】
2005238158.tif 000013
【図１２】
2005238158.tif 000014
【図１３】
2005238158.tif 000015
【図１４】
2005238158.tif 000016
【図１５】
2005238158.tif 000017